(57)【要約】【課題】  笠木を簡単に改修できる手すりの改修装置の提供。【解決手段】  笠木１に取付けた受け金具２，２，…と、受け金具２，２，…に支持した笠木カバー３とを備え、受け金具２は、笠木１に上方から嵌めてねじ４で固定してあり、笠木カバー３を支持する支持部５，５と、笠木カバー３の浮き上がりを防ぐ浮き上がり防止部６，６を有し、笠木カバー３は、笠木１を覆っており、受け金具２の支持部５，５と係止する回転止め部７，７を有する。【選択図】      図１
2020200602.tif 000002
【特許請求の範囲】
【請求項１】
笠木に取付けた受け金具と、受け金具に支持した笠木カバーとを備え、受け金具は、笠木に上方から嵌めてねじで固定してあり、笠木カバーを支持する支持部と、笠木カバーの浮き上がりを防ぐ浮き上がり防止部を有し、笠木カバーは、笠木を覆っており、受け金具の支持部と係止する回転止め部を有することを特徴とする手すりの改修装置。
【発明の詳細な説明】
【技術分野】
【０００１】
本発明は、笠木を簡単に改修できる手すりの改修装置に関する。
【背景技術】
【０００２】
集合住宅のバルコニーには、アルミ製の手すりが設置してある。それらの手すりは、上部にかまぼこ型の断面の笠木を備えている（例えば、非特許文献１参照。）。笠木は、日光や雨水にさらされるため傷みや汚れが生じやすく、笠木を簡単に改修できることが求められていた。
【先行技術文献】
【非特許文献】
【０００３】
【非特許文献１】三協立山株式会社 三協アルミ社発行のカタログ「アルミ手すり  総合カタログ」（カタログＮｏ．ＳＴＢ０３０３Ａ Ｓ．０８．１１−０５０）、２００８年１１月、ｐ．６４−６５
【発明の概要】
【発明が解決しようとする課題】
【０００４】
本発明は以上に述べた実情に鑑み、笠木を簡単に改修できる手すりの改修装置の提供を目的とする。
【課題を解決するための手段】
【０００５】
上記の課題を達成するために請求項１記載の発明による手すりの改修装置は、笠木に取付けた受け金具と、受け金具に支持した笠木カバーとを備え、受け金具は、笠木に上方から嵌めてねじで固定してあり、笠木カバーを支持する支持部と、笠木カバーの浮き上がりを防ぐ浮き上がり防止部を有し、笠木カバーは、笠木を覆っており、受け金具の支持部と係止する回転止め部を有することを特徴とする。
【発明の効果】
【０００６】
請求項１記載の発明による手すりの改修装置は、笠木に取付けた受け金具と、受け金具に支持した笠木カバーとを備え、受け金具は、笠木に上方から嵌めてねじで固定してあり、笠木カバーを支持する支持部と、笠木カバーの浮き上がりを防ぐ浮き上がり防止部を有し、笠木カバーは、笠木を覆っており、受け金具の支持部と係止する回転止め部を有するので、笠木の上から笠木カバーを取付けることによって、笠木を簡単に改修することができる。しかも笠木カバーは、回転したり浮き上がったりすることなく、安定して取付けできる。
【図面の簡単な説明】
【０００７】
【図１】図２のＡ−Ａ断面図である。
【図２】本発明の手すりの改修装置の第１実施形態を示す屋外側正面図である。
【図３】同手すりの改修装置の施工手順を示す屋外側正面図である。
【図４】同手すりの改修装置の施工手順を示す縦断面図である。
【図５】本発明の手すりの改修装置の第２実施形態を示す縦断面図である。
【図６】本発明の手すりの改修装置の第３実施形態を示す縦断面図である。
【図７】本発明の手すりの改修装置の第４実施形態を示す縦断面図である。
【発明を実施するための形態】
【０００８】
以下、本発明の実施の形態を図面に基づいて説明する。図１〜４は、本発明の手すりの改修装置の第１実施形態を示している。本手すりの改修装置は、図１，２に示すように、集合住宅のバルコニーに設置されている既存の手すり８の笠木１を覆うように上方から笠木カバー３を取付けることで、笠木１を簡単に改修するものである。本手すりの改修装置は、笠木１に長手方向に間隔をおいて取付けられる複数の受け金具２，２，…と、笠木１の全長にわたる長さを有し、受け金具２，２，…に支持して取付けられる笠木カバー３とを備えている。笠木１は、上面が円弧状に盛り上がったかまぼこ型の断面形状となっており、笠木１の幅寸法Ｘは７５ｍｍである。
【０００９】
受け金具２は、アルミ形材を所定の長さで切断して形成したピース状の部材であり、図１に示すように、一対の側壁９，９と上壁１０とを有する略コ字形の断面形状となっている。一対の側壁９，９は垂直で、一対の側壁９，９間の寸法は笠木１の幅寸法Ｘと略同じになっており、側壁９，９は笠木１の両側壁１８，１８に当接している。側壁９，９は、笠木１よりも下方に突出しており、その下端部が笠木カバー３に係止して笠木カバー３の浮き上がりを防ぐ浮き上がり防止部６，６となっている。上壁１０は、見込方向の中央部が水平に形成され、その両側に上方に突出して形成されて笠木カバー３を支持する支持部５，５を有する。支持部５の上面には、クッション材１１が取付けてある。側壁９，９と上壁１０とのコーナー部には、傾斜部１２を有している。
受け金具２は、笠木１に上方から嵌めて、上壁１０の中央部を笠木３の上壁１３の頂部に当接して上方からのボルト４で固定して取付けられる。笠木３の上壁１３には、ボルト４をねじ込むための雌ねじ孔（インサートねじ）１４が形成される。
【００１０】
笠木カバー３は、アルミ形材で形成したものであり、図１に示すように、下側が開口した横長楕円形の断面形状となっており、笠木１の側方及び上方を覆っている。笠木カバー３の下側の開口縁部には、内側に向けて水平に突出する内向き突部１５，１５を有し、その外側に隣接して上向きに突出する上向き突部１６，１６が形成されており、内向き突部１５，１５が受け金具２の浮き上がり防止部６，６の下方に係止し、上向き突部１６，１６が受け金具２の側壁９，９に当接している。また笠木カバー３は、上部の内面側に下向きに突出する回転止め部７，７を有し、各回転止め部７，７が受け金具２の支持部５，５の内側に係止することで、笠木カバー３の回転が規制されている。笠木カバー３は、このように横長の楕円形の断面形状となっていることで、手をかけたときに指が掛かり難くなっている。
【００１１】
次に、本手すりの改修装置の施工手順を説明する。図３（ａ）は、バルコニーに設置された既存の手すり８を示しており、パラペット１７に複数の支柱２０，２０，…が間隔をおいて立設してあり、支柱２０，２０，…の上端に笠木１が架設してある。
施工手順としては、まず、図３（ｂ）と図４（ａ）に示すように、笠木１の上壁１３に雌ねじ孔１４を形成した上で、笠木１に上方から受け金具２を嵌め、ボルト４を雌ねじ孔１４にねじ込んで受け金具２を笠木１に固定する。受け金具２は、各支柱２０の左右両側に取付けている。
次に、図３（ｃ）と図４（ｂ）に示すように、笠木カバー３を受け金具２，２，…に上方から取付ける。その際、笠木カバー３を上方から押すと、図４（ｂ）に示すように、笠木カバー３の開口縁部が受け金具２の傾斜部１２，１２に当たることで笠木カバー３が両側に広がるように弾性変形し、その後、側壁９，９の下まで完全に押し込まれると、図４（ｃ）に示すように、笠木カバー３の内向き突部１５，１５が受け金具２の浮き上がり防止部６，６に係止し、それと同時に受け金具２の支持部５，５に笠木カバー３が支持され、且つ受け金具２の支持部５，５に笠木カバー３の回転止め部７，７が係止する。このように本手すりの改修装置は、受け金具２，２，…に対して笠木カバー３を上方から押し込むだけで、笠木カバー３を安定して取付けることができる。
【００１２】
図５は、本発明の手すりの改修装置の第２実施形態を示している。受け金具２と笠木カバー３は、第１実施形態と同じものを使用しており、笠木１の断面形状だけが異なる。笠木１は、横長の長方形の断面形状となっている。笠木１の幅寸法Ｘは７５ｍｍで、第１実施形態と同じである。このように、本手すりの改修装置は、笠木１の幅寸法Ｘが同じであれば、笠木１の断面形状が違っても、同じ受け金具２と笠木カバー３を使用することができる。
【００１３】
図６は、本発明の手すりの改修装置の第３実施形態を示している。本実施形態は、笠木１の断面形状が第１実施形態と同じかまぼこ型であるが、笠木１の幅寸法Ｘは６５ｍｍと第１実施形態よりも小さくなっている。受け金具２と笠木カバー３は、第１実施形態と同じものを使用しており、受け金具２の一方の側壁９と笠木１の側壁１８との間にスペーサー２１を設け、お互いの側壁９，１８を側方からねじ１９で固定することで、受け金具２を幅の狭い笠木１に対して安定に取付けている。
このように、笠木１の幅寸法Ｘが異なる場合であっても、幅の広い方に合わせて受け金具２を製作しておき、適宜スペーサー２１を介在させることで、受け金具２を共通して用いることができる。笠木カバー３も共通して用いることができる。
【００１４】
図７は、本発明の手すりの改修装置の第４実施形態を示している。本実施形態は、笠木１が第３実施形態と同様に幅寸法Ｘが６５ｍｍのかまぼこ型になっており、受け金具２は一対の側壁９，９が当該笠木１にぴったり嵌まるように形成され、側壁９，９の下端部を外側にオフセットするような形で曲げ、浮き上がり防止部６，６を側壁９，９よりも外側に形成している。これにより、第１実施形態と同じ笠木カバー３を取付けできる。このように、笠木１の幅寸法Ｘが異なっている場合でも、受け金具２の浮き上がり防止部６，６の間隔を同じにすることで、共通の笠木カバー３を用いることができる。
【００１５】
以上に述べたように本手すりの改修装置は、笠木１に取付けた受け金具２，２，…と、受け金具２，２，…に支持した笠木カバー３とを備え、受け金具２は、笠木１に上方から嵌めてねじ４で固定してあり、笠木カバー３を支持する支持部５，５と、笠木カバー３の浮き上がりを防ぐ浮き上がり防止部６，６を有し、笠木カバー３は、笠木１を覆っており、受け金具２の支持部５，５と係止する回転止め部７，７を有するので、笠木１の上から笠木カバー３を取付けることによって、笠木１を簡単に改修することができる。しかも笠木カバー３は、回転したり浮き上がったりすることなく、安定して取付けできる。
笠木カバー３は、既存の手すり８の笠木１より断面が大きいため、人が手すり８に寄り掛かった際にかかる荷重を横方向に分散させることができ、手すり８の強度を向上させることができる。
受け金具２は、笠木１の両側壁１８，１８と上壁１３の頂部に当接して取付けてあるので、受け金具２を笠木１に安定して取付けでき、また、かまぼこ型断面の笠木１と矩形断面の笠木１の何れにも取付けできる。
また、受け金具２は、サイズの異なる笠木１に取付け自在であるため、笠木１のサイズごとに受け金具２を製作する必要がなく、コストを削減できるとともに、既存の手すり８に容易に施工することができる。
笠木カバー３は、指が掛かり難い形状となっていることで、子供が笠木（笠木カバー３）を掴んで手すり８を乗り越えて転落したりするのを防ぐことができる。
【００１６】
本発明は以上に述べた実施形態に限定されない。受け金具及び笠木カバーの形状、材質は、適宜変更することができる。笠木の断面形状や材質は問わない。笠木カバーの指の掛かり難い形状としては、楕円、円、見込幅の大きいもの等であってもよい。本発明は、バルコニーの手すりに限らず、笠木を備えるあらゆる手すりに適用することができる。
【符号の説明】
【００１７】
１  笠木
２  受け金具
３  笠木カバー
４  ボルト（ねじ）
５  支持部
６  浮き上がり防止部
７  回転止め部
【図１】
2020200602.tif 000003
【図２】
2020200602.tif 000004
【図３】
2020200602.tif 000005
【図４】
2020200602.tif 000006
【図５】
2020200602.tif 000007
【図６】
2020200602.tif 000008
【図７】
2020200602.tif 000009